(57)【要約】  受信機ビームフォーミング能力をもつ無線デバイスにおける信号測定を制御するための方法および装置が提供される。一実施形態では、本方法は、無線デバイスによって実施され、無線デバイスが受信機ビームフォーミングをどのように実施するかまたは実施することになるかの第１の指示を無線ノードに提供することと、無線デバイスが受信機ビームフォーミングをどのように実施するかまたは実施することになるかの第１の指示に従って、信号測定プロシージャの一部として受信機ビームフォーミングを実施することとを含む。【選択図】図１０
2021511733.tif 000002
【特許請求の範囲】
【請求項１】
受信機ビームフォーミング能力をもつ無線デバイスにおける信号測定を制御するための、前記無線デバイスによって実施される方法（２００）であって、
−  前記無線デバイスが受信機ビームフォーミングをどのように実施するかまたは実施することになるかの第１の指示を無線ノードに提供すること（２０５）と、
−  前記無線デバイスが受信機ビームフォーミングをどのように実施するかまたは実施することになるかの前記第１の指示に従って、信号測定プロシージャの一部として受信機ビームフォーミングを実施すること（２１０）と
を含む、方法（２００）。
【請求項２】
−  前記無線デバイスが満たすことが可能である測定要件の第２の指示を前記無線ノードに提供すること（２０５）であって、前記測定要件は、前記無線デバイスが受信機ビームフォーミングをどのように実施するかまたは実施することになるかに基づいて決定され、前記受信機ビームフォーミングが、前記測定要件の前記第２の指示に従ってさらに実施される、第２の指示を前記無線ノードに提供すること（２０５）
をさらに含む、請求項１に記載の方法（２００）。
【請求項３】
−  前記無線ノードから設定メッセージを受信すること（２１５）と、
−  前記設定メッセージに基づいて、前記無線ノードによって決定された測定要件に従って前記信号測定プロシージャを設定すること（２２０）であって、前記測定要件は、前記無線デバイスが受信機ビームフォーミングをどのように実施するかまたは実施することになるかに基づいて決定される、前記信号測定プロシージャを設定すること（２２０）と
をさらに含む、請求項１に記載の方法（２００）。
【請求項４】
前記無線ノードが別の無線デバイスである、請求項１から３のいずれか一項に記載の方法（２００）。
【請求項５】
前記無線ノードが無線アクセスノードである、請求項１から４のいずれか一項に記載の方法（２００）。
【請求項６】
前記第１の指示が明示的である、請求項１から５のいずれか一項に記載の方法（２００）。
【請求項７】
前記第１の指示が暗黙的である、請求項１から５のいずれか一項に記載の方法（２００）。
【請求項８】
前記無線アクセスノードから有効化／無効化インジケータを受信することであって、前記有効化／無効化インジケータは、前記無線デバイスが、受信機ビームフォーミングを実施することを可能にされるかどうかを制御する、有効化／無効化インジケータを受信すること
をさらに含む、請求項１から７のいずれか一項に記載の方法（２００）。
【請求項９】
受信機ビームフォーミングを実施することが、ビームスイーピングを含む、請求項１から８のいずれか一項に記載の方法（２００）。
【請求項１０】
前記第１の指示が、測定を実施するために前記ＵＥによって必要とされる受信機ビームスイープの数を含む、請求項１から９のいずれか一項に記載の方法（２００）。
【請求項１１】
受信機ビームスイープの前記数が、測定されるべき信号の信号品質パラメータに基づく、請求項１０に記載の方法（２００）。
【請求項１２】
前記第１の指示は、前記無線デバイスが、測定を実施するために必要とされる受信機ビームスイープの数を適応させることができるかどうかの指示を含み、前記適応は、前記無線デバイスが、前記測定のために使用される参照信号（ＲＳ）以外の信号を受信および／または送信しているか否かに基づく、請求項１から１１のいずれか一項に記載の方法（２００）。
【請求項１３】
受信機ビームフォーミング能力をもつ無線デバイスにおける信号測定を制御するための、無線アクセスノードによって実施される方法（３００）であって、
−  無線デバイスから、前記無線デバイスが受信機ビームフォーミングをどのように実施するかまたは実施することになるかの第１の指示を受信すること（３０５）と、
−  前記第１の指示に基づいて、無線デバイスが信号測定プロシージャの一部として満たすべき測定要件を決定すること（３１０）と、
−  前記決定された測定要件に従って適応的に前記信号測定プロシージャを実施するように無線デバイスを設定すること（３１５）と
を含む、方法（３００）。
【請求項１４】
前記決定された測定要件に従って前記無線アクセスノードによって実施されるプロシージャを設定すること（３２０）をさらに含む、請求項１３に記載の方法（３００）。
【請求項１５】
前記無線デバイスを設定することが、あるタイプの測定を実施する間、受信ビームスイーピングを無効化するように前記無線デバイスを設定すること、またはしきい値を超えない数の受信ビームスイープを適用することを含む、請求項１３または１４に記載の方法（３００）。
【請求項１６】
無線通信ネットワークにおける動作のための無線デバイス（１０５）であって、
−  請求項１から１２のいずれか一項に記載のステップのいずれかを実施するように設定された処理回路要素（４０５）と、
−  前記無線通信ネットワークにおける１つまたは複数の無線アクセスノードへの／からの送信を送信／受信するように設定された通信回路要素（４１５）と
を備える、無線デバイス（１０５）。
【請求項１７】
無線通信ネットワークにおける動作のための無線アクセスノード（１１０）であって、
−  請求項１３から１５のいずれか一項に記載のステップのいずれかを実施するように設定された処理回路要素（６０５）と、
−  前記無線通信ネットワークにおける１つまたは複数の無線デバイスへの／からの送信を送信／受信するように設定された通信回路要素（６１５）と
を備える、無線アクセスノード（１１０）。
【請求項１８】
受信機ビームフォーミング能力をもつ無線デバイスにおける信号測定を制御するための、前記無線デバイスによって実施される方法（２００）であって、
−  前記無線デバイスが満たすことが可能である測定要件の指示を無線ノードに提供すること（２０５）であって、前記測定要件は、前記無線デバイスが受信機ビームフォーミングをどのように実施するかまたは実施することになるかに基づく、測定要件の指示を無線ノードに提供すること（２０５）と、
−  前記測定要件の前記指示に従って前記受信機ビームフォーミングを実施すること（２１０）と
を含む、方法（２００）。
【請求項１９】
前記測定要件の前記指示が暗黙的である、請求項１８に記載の方法（２００）。
【請求項２０】
受信機ビームフォーミング能力をもつ無線デバイスにおける信号測定を制御するための、無線アクセスノードによって実施される方法（３００）であって、
−  前記無線デバイスから、前記無線デバイスが満たすことが可能である測定要件の指示を受信すること（３０５）であって、前記測定要件は、前記無線デバイスが受信機ビームフォーミングをどのように実施するかまたは実施することになるかに基づき、前記受信機ビームフォーミングが、前記測定要件の前記指示に従って実施される、測定要件の指示を受信すること（３０５）と、
−  前記指示に基づいて、前記無線デバイスが信号測定プロシージャの一部として満たすべき測定要件を決定すること（３１０）と、
−  前記決定された測定要件に従って適応的に前記信号測定プロシージャを実施するように前記無線デバイスを設定すること（３１５）と
を含む、方法（３００）。
【請求項２１】
前記測定要件の前記指示が暗黙的である、請求項２０に記載の方法（３００）。
【発明の詳細な説明】
【技術分野】
【０００１】
本出願は、一般に無線通信システムに関し、詳細には、無線通信システムにおいて受信ビームフォーミングを使用するように動作可能な無線デバイスにおける信号測定を制御することに関する。
【背景技術】
【０００２】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０００３】
セルラー通信システムは、一般に、固定であり得るか、または、モバイルである場合、ネットワークのカバレッジエリア内で動き回る間サービスを受信し続けることができる、無線通信デバイスに無線カバレッジを提供する、地上ネットワークを備える。「セルラー」という用語は、カバレッジエリア全体がいわゆる「セル」に分割され、それらのセルの各々が、一般に、地上ネットワークに関連する特定の無線トランシーバ局（または等価物）によってサーブされることから派生する。そのようなトランシーバ局は、しばしば「基地局」と呼ばれる。無線デバイスがあるセルから別のセルに移動するとき、ネットワークは、モバイルデバイスをサーブすることに対する責任を、現在サーブしているセルから「新しい」セルにハンドオーバする。このようにして、無線デバイスのユーザは、ネットワークへの接続を再確立する必要なしに、サービスの連続性を経験する。
【０００４】
図１は、複数の無線アクセスノード１１０（たとえば、ｅノードＢまたは他の基地局）によって複数の無線通信デバイス１０５（たとえば、従来のＵＥ、マシン型通信［ＭＴＣ］／マシンツーマシン［Ｍ２Ｍ］ＵＥ）にシステムカバレッジエリアを提供するセルラー通信システムまたはネットワーク１００を示す。通信ネットワーク１００は、対応する無線アクセスノード１１０を介してコアネットワーク１２０に接続されるセル１１５に編成される。無線アクセスノード１１０は、無線通信デバイス間の、または無線通信デバイスと（固定電話などの）別の通信デバイスとの間の通信をサポートすることに適した追加のエレメントとともに、無線通信デバイス１０５と通信することが可能である。いくつかの実施形態では、通信ネットワーク１００は、３ＧＰＰによって規定されたＬｏｎｇ  Ｔｅｒｍ  Ｅｖｏｌｕｔｉｏｎ（ＬＴＥ）規格に準拠するＬＴＥネットワークであり、および／または３ＧＰＰによって規定された新無線（ＮＲ）規格に準拠するＮＲネットワークである。ｅノードＢ／ｇＮＢおよびＵＥなど、ここで使用される専門用語は、非限定的であると見なされるべきであり、その２つの間のある階層関係を特に暗示せず、概して、「ｅノードＢ／ｇＮＢ」はデバイス１と見なされ得、「ＵＥ」はデバイス２と見なされ得、これらの２つのデバイスは何らかの無線チャネルを介して互いと通信することに留意されたい。
【０００５】
Ｉ．  ＮＲアーキテクチャ
ＮＲ（別名、５Ｇまたは次世代）では、通信ネットワーク１００のアーキテクチャが３ＧＰＰリサーチアクティビティにおいて議論されており、現在のネットワークアーキテクチャ概念が図８に示されており、ここで、「ｅＮＢ」はＬＴＥ  ｅノードＢを表し、「ｇＮＢ」はＮＲ基地局（ＢＳ）を表し（１つのＮＲ  ＢＳが、１つまたは複数の送信／受信ポイントに対応し得る）、ノード間の線は、３ＧＰＰにおいて議論中である対応するインターフェースを示す。さらに、図９は、３ＧＰＰリサーチアクティビティにおいて議論されるＮＲ  ＢＳを用いた４つの異なる展開シナリオを示す。
【０００６】
ＩＩ．  ＮＲにおけるマルチアンテナ方式
ＮＲのためのマルチアンテナ方式が、現在、３ＧＰＰリサーチアクティビティにおいて議論されている。ＮＲでは、１００ＧＨｚまでの周波数範囲が考慮される。６ＧＨｚを上回る高周波数無線通信が、著しいパスロスおよび透過ロスという欠点があることが知られている。この問題に対処するための１つのソリューションは、高いビームフォーミング利得を達成するために大規模アンテナアレイを展開することであり、このことは、高周波数信号の小さい波長により、妥当なソリューションである。したがって、ＮＲのためのＭＩＭＯ方式は、マッシブＭＩＭＯとも呼ばれる。約３０／７０ＧＨｚでは、最大２５６個のＴｘおよびＲｘアンテナエレメントが仮定される。７０ＧＨｚにおいて１０２４Ｔｘをサポートするための拡張が同意され、３０ＧＨｚについて議論中である。サブ６ＧＨｚ通信では、アンテナエレメントの数を増加させることによってより多くのビームフォーミングおよび多重化利得を取得することも傾向である。
【０００７】
マッシブＭＩＭＯでは、ビームフォーミングに対する３つの手法、すなわち、アナログ、デジタル、およびハイブリッド（その２つの組合せ）が議論された。アナログビームフォーミングは、ＮＲシナリオにおける高いパスロスを補償することになり、デジタルプリコーディングは、妥当なカバレッジを達成するために必要なサブ６ＧＨｚのためのＭＩＭＯと同様の追加の性能利得を提供することになる。アナログビームフォーミングの実装複雑さは、アナログビームフォーミングが、多くの実装形態では単純な位相シフタに依拠するので、デジタルプリコーディングよりも著しく小さいが、欠点は、多方向フレキシビリティにおけるアナログビームフォーミングの限定（すなわち、単一のビームが一度に形成され得、次いで、ビームは時間領域において切り替えられる）、広帯域送信のみ（すなわち、サブバンド上で送信することが可能でない）、アナログ領域における不可避の不正確さなどである。ＬＴＥにおいて今日使用される（デジタル領域とＩＦ領域との間の、コストがかかる変換器を必要とする）デジタルビームフォーミングは、データレートおよび多重化能力に関して最良の性能を提供する（一度に複数のサブバンド上の複数のビームが形成され得る）が、同時に、デジタルビームフォーミングは、電力消費、統合、およびコストに関して困難であり、それに加えて、利得は送信／受信ユニットの数と線形的にスケーリングしないが、コストは急速に増大する。したがって、コスト効率の高いアナログビームフォーミングおよび大容量デジタルビームフォーミングから恩恵を受けるために、ハイブリッドビームフォーミングをサポートすることが、ＮＲのために望ましい。ハイブリッドビームフォーミングを実施するように設定された回路要素の例示的な図が図１０に示されている。ビームフォーミングは、ネットワーク側またはＵＥ側の、送信ビームおよび／または受信ビームに対するものであり得る。
【０００８】
サブアレイのアナログビームが、各ＯＦＤＭシンボル上で単一方向に向かってステアリングされ得、したがって、サブアレイの数が、各ＯＦＤＭシンボル上のビーム方向および対応するカバレッジの数を決定する。しかしながら、全サービングエリアをカバーするビームの数は、一般に、特に個々のビーム幅が狭いとき、サブアレイの数よりも大きい。したがって、全サービングエリアをカバーするために、時間領域において別様にステアリングされたナロービームを用いた複数の送信が必要とされる可能性もある。この目的のための複数の狭いカバレッジビームの提供は、「ビームスイーピング」と呼ばれている。アナログおよびハイブリッドビームフォーミングでは、ビームスイーピング技法が、ＮＲにおける基本的なカバレッジを提供する。この目的で、複数のＯＦＤＭシンボルが、割り振られ、周期的に送信され得、その複数のＯＦＤＭシンボルにおいて、別様にステアリングされたビームがサブアレイを通して送信され得る。図１１は、一連の時間的インスタンスにおける、（影付きビームによって表される）２つのサブアレイ上でスイープされるビームを図式的に示す。図１２は、一連の時間的インスタンスにおける、３つのサブアレイ上でスイープされるビームを示す。
【０００９】
ビームフォーミングのこれらの様々な形式は、高周波数キャリアが使用されるとき信号利得を改善するために使用され得るが、ビームスイーピングを実施するＵＥにおいて信号測定を実施する従来の技法および技術に関連するいくつかの短所がある。
【００１０】
たとえば、アナログ的に受信機ビームの方向を変更するまたは受信機ビームスイーピングを実装するＵＥが、すべての方向から、たとえば、異なる送信ポイント（ＴＰ）、異なる送信／受信ポイント（ＴＲＰ）、異なるセルから、さらには異なるＢＳ送信機ビームから、信号を同時に受信することが可能でないことがある。同時に、ＵＥは、複数のセル上で測定を実施し、どのセルが接続するのに最良であるかを探索および識別し、（各々がセルの異なる送信機ビームに関連する）複数の同期信号ブロック（ＳＳＢ）上のサービングセル上の無線リンク管理（ＲＬＭ）を実施することを必要とされる。ＬＴＥシステムでは、ＵＥは、アナログビームスイーピングによって限定されることなしに、これらのアクティビティを同時に実施している。ＮＲシステムでは、いくつかのＵＥにおけるビームスイーピングのあり得るアナログ実装により、そのようなＵＥのための要件は緩和されなければならない。
【００１１】
１つの従来の手法によれば、アナログビームスイーピングを伴うそのようなＵＥを考慮するために、測定期間が緩和され、たとえば、受信機ビームスイープの数でスケーリングされ、それは、ＮＲにおけるセルごとの送信ビームまたはＳＳＢの最大サポート数が６４であるので、極めて大きくなり得る。さらに、一般的な要件がすべてのＵＥのために指定されるべきである場合、ＵＥがビームスイーピングをどのように実装するかにかかわらず、すべてのＮＲ  ＵＥのための要件が緩和される必要があり、これは、セル識別、測定、ＲＬＭなどについての長い遅延、およびＬＴＥと比較してＮＲの全体的性能が悪いことにつながることになる。一方、要件が緩和されない場合、ＵＥが受信機ビームフォーミングまたは受信機ビームのスイーピングをどのように実装するかに関する厳しい制約が課されることになる。そのような制約は、ＵＥコストを増加させることになり、これは、ＮＲ  ＵＥをあまり魅力的でなくすることがある。
【発明の概要】
【００１２】
本明細書で説明される技法および装置のうちのいくつかは、上記の問題に対処し、ＮＲ通信システムにおけるＵＥなど、ビームスイーピングが可能なＵＥにおけるセル検出、セル識別、ＲＬＭ、モビリティプロシージャ、ハンドオーバなどについて、より速く、より効率的な測定を可能にする。
【００１３】
一実施形態では、ＵＥは、ＵＥが受信機ビームフォーミングをどのように実施しているかまたは実施しようとしているか、およびＵＥがその受信機ビームフォーミングをどのように実施しているかまたは実施しようとしているかに基づいてＵＥが満たすことが可能である適用可能な要件の一方または両方を、ネットワークノードまたは別のＵＥに暗黙的にまたは明示的に指示する。ＵＥ信号測定プロシージャが、それに応じて（指示に従って）実施され得、適用可能な要件を満たすように設定され得る。一例では、ＵＥは、測定を実施するためにＵＥによって必要とされる受信機ビームスイープの数を指示する。別の例では、ＵＥは、測定の信号レベルまたは信号品質、たとえば、ＳＩＮＲおよび／またはキャリア周波数に基づいて測定を実施するためにＵＥによって必要とされる受信機ビームスイープの数を指示する。また別の例では、ＵＥは、ＵＥが、測定を実施するためにＵＥによって必要とされる受信機ビームスイープの数を適応させることができるかどうかを示し、適応は、ＵＥが、測定のために使用される参照信号（ＲＳ）以外の信号を受信および／または送信しているか否かに基づく。たとえば、ＵＥが、測定のみを実施している（およびデータまたは制御チャネル受信または送信を実施していない）場合、ＵＥは、ＵＥが測定のために使用されるＲＳ以外の信号をも受信および／または送信する場合と比較してより少数の受信ビームスイープを適用し得る。
【００１４】
別の実施形態によれば、ＵＥが受信機ビームフォーミングをどのように実施しているかに応じてＵＥ要件がどのように決定されるかについての方法が説明される。一例では、ＵＥは、ＵＥが、少なくとも部分的に重複する時間リソースにおいて、ＲＳ上で測定のみを実施しており、他の信号を受信および／または送信していない場合、測定時間（Ｔ１）にわたって測定を実施し得、ＵＥは、ＵＥが、少なくとも部分的に重複する時間期間（Ｔ２）において、ＲＳ上で測定を実施しており、他の信号をも受信および／または送信している場合、測定時間（Ｔ２）にわたって測定を実施し得、ここで、Ｔ２＞Ｔ１であり、これは、後者の場合、より多数の受信ビームスイープがＵＥによって適用されるからである。別の例では、ＵＥは、ＵＥが、測定時間Ｔ１中に同じキャリア周波数上で、測定を実施しておらず、サービングセルから信号／チャネルを受信していない場合、Ｔ１中にネイバーセル上で測定を実施し、ＵＥは、ＵＥが、測定時間Ｔ２（Ｔ２＞Ｔ１）と少なくとも部分的に重複する時間中に、同じキャリア周波数上で、測定を実施しているおよび／またはサービングセルから信号／チャネルを受信している場合、Ｔ２中にネイバーセル上で測定を実施し、これは、ＵＥは、概して、同時にサービングセルおよびネイバーセルのために同じ受信機ビームを使用することが可能でないことがあり、したがって、一度にそれらのうちの１つを実施することになるからである（サービングセルも優先させられることがあり、その場合、ネイバーセル測定を実施することは、Ｔ２の場合のように優先度が使用されない場合と比較して、時間がかかり得るＴ３＞Ｔ２）。
【００１５】
別の実施形態によれば、ネットワークノードが、たとえば、ＵＥ指示またはＵＥ挙動を観察することに基づいて、ＵＥが受信機ビームフォーミングをどのように実施しているかを決定する。決定したことの結果に基づいて、ネットワークノードは、さらに、適用可能なＵＥ要件を決定し、決定された要件に適応的に１つまたは複数のＵＥプロシージャを設定し得る。ネットワークノードは、さらに、ＵＥが受信機ビームフォーミングをどのように実施しているかを決定したことの結果に基づいて、１つまたは複数のそれ自体のプロシージャを適応させ得る。この実施形態の別の態様によれば、ネットワークノードは、あるタイプの測定を実施する間、ＵＥが、受信ビームスイーピングを無効化するかまたはあるしきい値（たとえば、２）を超えない数の受信ビームスイープを適用するべきであるようにＵＥを設定し得る。それに応じて、ＵＥは、測定を行う間、受信機ビームスイーピングを適用しないかまたは低減された数のビームスイープを適用することになる。この場合、ＵＥはまた、１つのまたは限られた数（たとえば、２）のセル上でのみ測定を実施し、ならびに／あるいはＵＥは、受信された信号レベルおよび／または信号品質があるしきい値を上回る（たとえば、ＳＩＮＲ≧−３ｄＢ）セル上で測定を実施し得る。そのような測定の例は、測位、ＳＯＮなどのために行われる測定である（たとえば、ＣＧＩ収集など）。
【００１６】
また別の実施形態によれば、ネットワークノードは、ＵＥが受信機ビームフォーミングをどのように実施しているかまたは実施しようとしているか、およびＵＥがその受信機ビームフォーミングをどのように実施しているかまたは実施しようとしているかに基づいてＵＥが満たすことが可能である適用可能な要件の一方または両方を、別のネットワークノードまたは第２のＵＥに指示する。
【００１７】
本明細書で説明される実施形態は、互いと組み合わせられ得、たとえば、ネットワークノード実施形態が、ＵＥ実施形態に基づき、指示を説明し得、ＵＥ実施形態またはネットワーク実施形態が、ＵＥ要件を決定するための実施形態と組み合わせられ得る。
【００１８】
図面は、開示される主題の選択された実施形態を示す。図面において、同様の参照ラベルは同様の特徴を示す。
【図面の簡単な説明】
【００１９】
【図１】無線通信ネットワークを示す図である。
【図２】無線通信デバイスを動作させる方法を示すフローチャートである。
【図３】無線アクセスノードを動作させる方法を示すフローチャートである。
【図４】無線通信デバイスを示す概略図である。
【図５】無線通信デバイスを示す機能ブロック図である。
【図６】無線アクセスノードを示す概略図である。
【図７】無線アクセスノードを示す機能ブロック図である。
【図８】無線通信ネットワークの例示的なアーキテクチャの図式図である。
【図９】ＮＲ  ＢＳを用いた無線通信ネットワークの４つの異なる展開シナリオの図式図である。
【図１０】ハイブリッドビームフォーミングを実施するための回路要素の概略図である。
【図１１】一連の時間的インスタンスにおける、２つのサブアレイ上でスイープされる無線信号ビームの図式図である。
【図１２】一連の時間的インスタンスにおける、３つのサブアレイ上でスイープされる無線信号ビームの図式図である。
【発明を実施するための形態】
【００２０】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００２１】
Ｉ．  専門用語
本明細書で使用されるセルは、たとえば、１つまたは複数の送信ポイント（ＴＲＰ）によって提供される、物理セルまたは仮想セルであり得ることに留意されたい。物理セルは、たとえば、たとえば、３ＧＰＰ規格において規定されている物理レイヤセル識別情報（ＰＣＩ）によって識別され得る。このＰＣＩは、１次同期信号および／または２次同期信号（ＰＳＳ／ＳＳＳ）、ならびにセルについてのセル参照信号（ＣＲＳ）にひも付けられ得る。仮想セルは、対照的に、たとえば、０個またはそれ以上の他の仮想セルとともに、物理セル内に作成され得る。仮想セルの識別情報が、セルにおけるチャネル状態情報参照信号（ＣＳＩ−ＲＳ）またはセルにおいて送信される任意のタイプの参照信号にひも付けられ得る。
【００２２】
無線デバイスは、無線信号を介して無線で無線ネットワークノードまたは別の無線デバイスと通信することが可能な任意のタイプのデバイスである。したがって、無線デバイスは、ユーザ機器、移動局、ラップトップ、スマートフォン、マシンツーマシン（Ｍ２Ｍ）デバイス、マシン型通信（ＭＴＣ）デバイス、狭帯域モノのインターネット（ＩｏＴ）デバイスなどを指し得る。この点について、ユーザ機器は、必ずしも、デバイスを所有し、および／または動作させる個人という意味における「ユーザ」を有するとは限らない。無線デバイスは、コンテキストが別段に指示しない限り、無線通信デバイス（ｗｉｒｅｌｅｓｓ  ｃｏｍｍｕｎｉｃａｔｉｏｎ  ｄｅｖｉｃｅ）、無線デバイス、無線通信デバイス（ｒａｄｉｏ  ｃｏｍｍｕｎｉｃａｔｉｏｎ  ｄｅｖｉｃｅ）、無線端末、または単に端末と呼ばれることもあり、これらの用語のいずれかの使用は、デバイスツーデバイスＵＥまたはデバイス、マシン型デバイスまたはマシンツーマシン通信が可能なデバイス、無線デバイスを装備したセンサー、無線対応テーブルコンピュータ、モバイル端末、スマートフォン、ラップトップ埋込み機器（ＬＥＥ）、ラップトップ搭載機器（ＬＭＥ）、ＵＳＢドングル、無線顧客構内機器（ＣＰＥ）などを含むものとする。本明細書の議論では、マシンツーマシン（Ｍ２Ｍ）デバイス、マシン型通信（ＭＴＣ）デバイス、無線センサー、およびセンサーという用語も使用され得る。これらのデバイスはＵＥであり得るが、概して、直接の人間対話なしにデータを送信および／または受信するように設定され得ることを理解されたい。
【００２３】
ＩｏＴシナリオでは、本明細書で説明される無線デバイスは、監視または測定を実施し、そのような監視測定の結果を別のデバイスまたはネットワークに送信する、マシンまたはデバイスであり得るか、あるいはその中に備えられ得る。そのようなマシンの特定の例は、電力計、産業用機械類、あるいは家庭用または個人用電気器具、たとえば、冷蔵庫、テレビジョン、時計などの個人用ウェアラブルなどである。他のシナリオでは、本明細書で説明される無線デバイスは、車両中に備えられ得、車両の動作ステータスまたは車両に関連する他の機能の監視および／または報告を実施し得る。
【００２４】
本明細書で使用される無線アクセスノードは、無線デバイスと、ならびに／あるいは、ネットワーク機器への無線アクセスを可能にし、および／または提供する、無線通信システムにおける他の機器と、直接または間接的に通信することが可能な、そうするように設定された、構成された、および／または動作可能な任意の無線ノードを備える。無線アクセスノードの例は、限定はしないが、基地局（ＢＳ）、無線基地局、ノードＢ、マルチスタンダード無線（ＭＳＲ）ＢＳなどのＭＳＲ無線ノード、エボルブドノードＢ（ｅＮＢ）、フェムト基地局、ピコ基地局、マイクロ基地局、マクロ基地局、（アンテナ統合無線機としてアンテナと統合されることも統合されないこともある）集中型デジタルユニットおよび／またはリモートラジオユニットなど、分散型無線基地局の１つまたは複数（またはすべて）の部分、ネットワークコントローラ、無線ネットワークコントローラ（ＲＮＣ）、基地局コントローラ（ＢＳＣ）、リレーノード、リレードナーノード制御リレー、基地トランシーバ局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散型アンテナシステム（ＤＡＳ）におけるノード、マルチセル／マルチキャスト協調エンティティ（ＭＣＥ）、コアネットワークノード（たとえば、ＭＳＣ、ＭＭＥ）、Ｏ＆Ｍノード、ＯＳノード、ＳＯＮノード、測位ノード（たとえば、Ｅ−ＳＭＬＣ）、および／またはＭＤＴを含む。しかしながら、より一般的には、無線アクセスノードは、無線通信ネットワークへの無線デバイスアクセスを可能にし、および／または提供し、あるいは、無線通信ネットワークにアクセスした無線デバイスに何らかのサービスを提供することが可能な、そうするように設定された、構成された、および／または動作可能な任意の好適なデバイス（またはデバイスのグループ）であり得る。上記のリストは、ただ代替無線アクセスノードを表すものではなく、無線アクセスノード機器のクラスの様々な例ならびに特定の無線アクセスノード機器の例を表すものである。
【００２５】
ＢＳは、たとえば、３ＧＰＰ  ＴＳ３８．３００  ｖ１５．０．０および３ＧＰＰ  ＴＳ３７．３４０  ｖ１５．０．０において記載されているｇＮＢ、ｎｇ−ｅＮＢ、またはｅｎ−ｇＮＢ、あるいはリレーノード、あるいは実施形態に準拠する任意のＢＳを備え得る。
【００２６】
本明細書で使用される無線ノードは、ＵＥまたは無線アクセスノードを示すために使用され得る。
【００２７】
本明細書で使用されるシグナリングは、（たとえば、ＲＲＣなどを介した）上位レイヤシグナリング、（たとえば、物理制御チャネルまたはブロードキャストチャネルを介した）下位レイヤシグナリング、またはそれらの組合せのいずれかを含み得る。シグナリングは暗黙的または明示的であり得る。シグナリングは、さらに、ユニキャスト、マルチキャストまたはブロードキャストであり得る。シグナリングはまた、別のノードに直接であるか、または第３のノードを介し得る。
【００２８】
本明細書で使用される無線測定は、無線信号に対して実施される任意の測定を指し得る。無線測定は絶対的または相対的であり得る。無線測定は信号レベルと呼ばれることがあり、信号レベルは信号品質および／または信号強度であり得る。無線測定は、たとえば、周波数内測定、周波数間測定、ＲＡＴ間測定、ＣＡ測定などであり得る。無線測定は、単方向（たとえば、ＤＬまたはＵＬ）または双方向（たとえば、ＲＴＴ、Ｒｘ−Ｔｘなど）であり得る。無線測定のいくつかの例：タイミング測定（たとえば、ＴＯＡ、タイミングアドバンス、ＲＴＴ、ＲＳＴＤ、Ｒｘ−Ｔｘ、伝搬遅延など）、角度測定（たとえば、到来角）、電力ベース測定（たとえば、受信信号電力、ＲＳＲＰ、受信信号品質、ＲＳＲＱ、ＳＩＮＲ、ＳＮＲ、干渉電力、総干渉プラス雑音、ＲＳＳＩ、雑音電力など）、セル検出またはセル識別、無線リンク監視（ＲＬＭ）、システム情報（ＳＩ）読取り、ＳＦＮフレーム時間差（ＳＦＴＤ）、ＳＦＮサブフレーム時間差（ＳＳＴＤ）、リソースエレメント当たりの参照信号受信エネルギー対総雑音の比（
2021511733.tif 000003
）など。ＲＳＲＰのいくつかの特定の例は、ＳＳ−ＲＳＲＰ、ＣＳＩ−ＲＳＲＰ、ＮＲＳＲＰなどである。ＲＳＲＱのいくつかの特定の例は、ＳＳ−ＲＳＲＱ、ＣＳＩ−ＲＳＲＱ、ＮＲＳＲＱなどである。ＳＩＮＲのいくつかの特定の例は、ＲＳ−ＳＩＮＲ、ＳＳ−ＳＩＮＲ、ＣＳＩ−ＳＩＮＲなどである。
【００２９】
本明細書で使用される測定性能という用語は、無線ノードによって実施される測定の性能を特徴づける任意の基準またはメトリックを指し得る。測定性能という用語は、測定要件、測定性能要件などとも呼ばれる。無線ノードは、実施された測定に関係する１つまたは複数の測定性能基準を満たさなければならない。測定性能基準の例は、測定時間、測定時間で測定されるべきセルの数、測定報告遅延、測定精度、参照値に関する測定精度（たとえば、理想的な測定結果）などである。測定時間の例は、測定期間、セル検出またはセル識別期間、評価期間（たとえば、セル評価あるいはＲＬＭ同期中またはＲＬＭ同期外れ評価）、ビーム検出またはビーム識別期間、ＳＳＢインデックス収集時間、ＳＩ読取り時間などである。
【００３０】
ここでのヌメロロジーという用語は、サブキャリア間隔、帯域幅内のサブキャリアの数、リソースブロックサイズ、シンボル長、ＣＰ長などのうちのいずれか１つまたはそれらの組合せを含み得る。ある特定の非限定的な例では、ヌメロロジーは、７．５ｋＨｚ、１５ｋＨｚ、３０ｋＨｚ、６０ｋＨｚ、１２０ｋＨｚ、または２４０ｋＨｚのサブキャリア間隔を含む。別の例では、ヌメロロジーは、３０ｋＨｚ以上のサブキャリア間隔を伴って使用され得るＣＰ長である。
【００３１】
本明細書のビームフォーミングという用語は、たとえば、ビームスイーピング、ビームフォーミング、ビームスイッチングなどのうちのいずれか１つまたは複数を含み得る。本明細書の受信機ビームフォーミングまたは受信ビームフォーミングという用語は、たとえば、受信機ビームスイーピングまたは受信機ビームスイープ、受信機ビームフォーミング、受信機ビームスイッチングなどのうちのいずれか１つまたは複数を含み得る。
【００３２】
ＩＩ．  無線デバイスにおける方法
一実施形態によれば、（本明細書ではＵＥとも呼ばれる）無線デバイスは、１）無線デバイスが受信機ビームフォーミングをどのように実施しているかまたは実施しようとしているか、および２）無線デバイスがその受信機ビームフォーミングをどのように実施しているかまたは実施しようとしているかに基づいてＵＥが満たすことが可能である適用可能な測定要件の一方または両方の指示を、ネットワークノードまたは別のＵＥに（暗黙的にかまたは明示的にかにかかわらず）提供する。
【００３３】
いくつかのＵＥ測定プロシージャが、適用可能な測定要件を満たすために、それに応じて（すなわち、（１つまたは複数の）指示に従って）実施される。
【００３４】
指示は、ＵＥ選好、ＵＥ設定、さらにはＵＥ能力を含み得る。受信機ビームフォーミング（たとえば、ビームスイープ）に関係する指示は、ＵＥのあらかじめ規定された設定であり得るか、あるいは、その指示は、ＵＥの現在の設定であり得るか、あるいは、その指示は、将来の時間におけるＵＥの予想される設定（たとえば、ＵＥによって実施されるべき次の測定では、５秒など、次のＸ時間単位にわたって）であり得るか、あるいは、その指示は、あるタイプの測定（周波数内または周波数間またはＲＡＴ間、異なる測定目的、たとえば、ＲＲＭ、モビリティ、測位、ＳＯＮなど、帯域幅しきい値によって決定された広帯域幅または通常／狭帯域幅測定）、またはあるタイプのセル（たとえば、サービングセルまたは非サービングセル、スモールセルまたはマクロセル、Ｆ１上のセルまたはＦＲ２上のセルなど）上での測定に関連するＵＥの設定であり得る。いくつかの例では、同じＵＥは、たとえば、条件、ＵＥ動作タイプ（たとえば、ＣＡまたは非ＣＡ、設定されたおよび／またはアクティブにされたＣＣの数など）、スタンドアロンＮＲまたは非スタンドアロンＮＲ動作、設定された測定の数、測定のタイプ（たとえば、ＲＲＭ、モビリティ、測位など。より多くの例について上記の専門用語セクションＩも参照）、受信すべきチャネルのタイプ（たとえば、ブロードキャスト、マルチキャスト、専用、ＭＢＭＳ、制御チャネル、データチャネル、ＰＢＣＨなど）に応じて、異なる指示を提供し得る。
【００３５】
一実施形態では、明示的指示は、ネットワークノードまたは第２のＵＥに送信されたパラメータまたはメッセージを含む。別の実施形態では、暗黙的指示はＵＥ動作方法を含み、そのＵＥ動作方法に基づいて、１）ＵＥが受信機ビームフォーミングをどのように実施しているかまたは実施しようとしているか、および２）ＵＥがその受信機ビームフォーミングをどのように実施しているかまたは実施しようとしているかに基づいてＵＥが満たすことができる適用可能な測定要件のうちの少なくとも１つに関係する少なくとも１つのパラメータを決定することが可能である。パラメータまたはメッセージコンテンツの例は、ＵＥ受信ビーム能力を反映するまたはＵＥ受信ビーム能力に関連する数であって、その数が、たとえば、その要件において使用され得る（たとえば、より大きい数が、より長い検出または測定時間を与える）、ＵＥ受信ビーム能力を反映するまたはＵＥ受信ビーム能力に関連する数、設定されたまたはサポートされる受信ビームスイープの数、設定されたまたはサポートされる受信ビーム方向の数、測定すべきセル（またはＴＲＰ）の数および設定されかまたはサポートされるビームスイープの数の最小値、要件インデックス（要件が、１）ＵＥが受信機ビームフォーミングをどのように実施している／実施しようとしているかに関連するのか、２）ＵＥが満たすことができる適用可能な測定要件に関連するのかに応じて、異なるインデックスが異なる要件に関連し得る）を含む。
【００３６】
パラメータまたはメッセージコンテンツの別の例は、一方では信号レベルおよび／または信号品質および／またはキャリア周波数または周波数範囲と、他方ではいくつかの（１つまたは複数の）測定を実施するために必要とされる受信ビームスイープの数（Ｎ）との間の関連付けを含む。（信号レベルの例は、信号強度、信号品質などである。信号強度の例は、ＲＳＲＰ、ＳＣＨ＿ＲＰ、パスロスなどである。信号品質の例は、ＲＳＲＱ、ＳＮＲ、ＳＩＮＲ、ＳＳ  Ｅｓ／Ｉｏｔなどである。たとえば、測定を行うためにＵＥによって必要とされる受信ビームスイープの数は、より低い信号レベルの場合、より高い信号レベルのために必要とされる受信ビームスイープの数と比較して、より大きくなり得る。一例として、信号品質（たとえば、ＳＩＮＲ）がしきい値を下回るとき、ＵＥは、測定を実施するためにＮ１個の受信ビームスイープを必要とし得るが、他の場合、信号品質（たとえば、ＳＩＮＲ）がしきい値に等しいかまたはそれよりも大きいとき、ＵＥは、同じタイプの測定を実施するためにＮ２個の受信ビームスイープを必要とし、ここで、Ｎ１＞Ｎ２であり、特殊な場合として、Ｎ１＞１およびＮ２＝１である。）
【００３７】
パラメータまたはメッセージコンテンツの別の例は、あるタイプのキャリア周波数または周波数レイヤ上で測定を行うためにＵＥによって必要とされる受信ビームスイープの数を含む。キャリアのタイプの例は、周波数内キャリア、対応する測定が周波数内測定である、周波数間キャリア、対応する測定が周波数間測定である、ＲＡＴ間キャリア、対応する測定がＲＡＴ間測定である、マルチキャリア動作における設定されたキャリア（たとえば、ＰＣＣ、ＳＣＣ、ＰＳＣなどの上での測定）などである。
【００３８】
パラメータまたはメッセージコンテンツの別の例は、ＵＥによって測定が実施されるべきであるキャリア周波数の数（Ｋ）の関数として測定を行うためにＵＥによって必要とされる受信ビームスイープの数（Ｎ）を含む。パラメータＮは、Ｋとともに増加し得る。しかしながら、パラメータＮとＫとの間の関係は、線形であるか、または非線形、たとえば、Ｎ＝ｆ（α、Ｋ）であり得、ここで、αは、キャリアごとに必要とされる受信ビームスイープの最小数である。特定の例では、Ｎ＝α＊Ｋである。
【００３９】
パラメータまたはメッセージコンテンツの別の例は、あるタイプの測定を行うためにＵＥが必要とするビームスイープの数を含む。測定のタイプの例は、ＲＳＲＰ／ＲＳＲＱ、セル識別、ＲＬＭのための同期外れ評価、ＲＬＭのための同期中評価、ＳＩＮＲ、ＳＦＴＤ、ＳＳＴＤ、測位測定（たとえば、ＲＳＴＤ）などである。たとえば、受信ビームスイープの数は、その測定に関与するセルの数に依存し得る。一例として、セル上で実施される絶対ＲＳＲＰ測定では、受信機ビームスイープの数はＮ３であるが、第１のセル（ｃｅｌｌ）および第２のセル（ｃｅｌｌ２）上で実施される相対ＲＳＲＰでは、受信ビームスイープの数はＮ４であり、ここで、Ｎ４＞Ｎ３、たとえば、Ｎ４＝２＊Ｎ３である。ｃｅｌｌ１およびｃｅｌｌ２上での相対測定は、ｃｅｌｌ１上での測定をｃｅｌｌ２上での測定と比較すること、たとえば、ｃｅｌｌ１上のＲＳＲＰとｃｅｌｌ２上のＲＳＲＰとの間の差を含む。また別の例では、ＳＦＴＤまたはＳＳＴＤのためにＵＥによって必要とされる受信ビームスイープの数は、Ｎ５であり、ここで、Ｎ５＞Ｎ３である。ＳＦＴＤまたはＳＳＴＤ測定は、２つのセル、たとえば、ＰＣｅｌｌおよびＰＳＣｅｌｌのタイミングの比較を伴う。
【００４０】
パラメータまたはメッセージコンテンツの別の例は、同じまたは重複する時間リソースにおいて、ＵＥが測定のために使用されていない信号（非ＲＳ）をも受信および／または送信しているかどうかに基づいて、ＵＥが測定のために受信ビームスイープの数を適応させることができるかどうかを指示するパラメータを含む。適応は、さらに、測定のために使用されるＲＳ（たとえば、ＳＳＢ）のサブキャリア間隔（ＳＣＳ）と、測定のために使用されるＲＳ以外の信号のＳＣＳとの間の関係に依存し得る。これは、アンテナアレイが、主に、測定以外の目的（たとえば、制御および／またはデータチャネルの受信）のために使用されるが、測定のためにアンテナアレイを使用することによって実現される。一例では、ＵＥは、ＵＥが制御チャネルおよび／またはデータチャネルを受信および／または送信しているかどうかにかかわらず、ＵＥが、測定を行うために同じ数の受信ビームスイープを必要とすることを指示し得る。第２の例では、ＵＥは、ＵＥが制御チャネルおよび／またはデータチャネルを受信および／または送信しているかどうかに応じて、ＵＥが、ＲＳ上で測定を行うために受信ビームスイープの数を適応させることができることを指示し得る。制御チャネルの例は、ＰＤＣＣＨ、ＰＵＣＣＨ、ＰＢＣＨなどである。データチャネルの例は、ＰＤＳＣＨ、ＰＵＳＣＨなどである。
【００４１】
（すぐ上で説明された）ＵＥが受信ビームスイープの数を適応させることができる例示的な実施形態では、ＵＥは、ＲＳ信号のＳＣＳと非ＲＳ信号のＳＣＳとが同じである場合、受信ビームスイープの数の必要を指示し得る。たとえば、ＵＥが、Ｙ１時間リソースと時間的に少なくとも部分的に重複するＹ２リソースにおいてもデータチャネルを受信している場合、Ｙ１時間リソース上であるキャリアのセル上で測定を行うための受信ビームスイープの数Ｎ６が指示され得る。代替的に、ＵＥが、Ｙ１時間リソースと時間的に少なくとも部分的に重複するＹ２リソースにおいてデータチャネルを受信していない場合、Ｙ１時間リソース上であるキャリアのセル上で測定を行うための受信ビームスイープの数Ｎ７が指示され得、ここで、Ｎ６＞Ｎ７である（たとえば、Ｎ６＝４であるのに対してＮ７＝２である）。概して、データおよび／または制御チャネルのために使用される未使用のアンテナアレイまたは処理リソースを使用することによって、受信ビームスイープのより短い値（Ｎ７）が実現される。
【００４２】
代替的に、ＵＥが受信ビームスイープの数を適応させることができる別の例示的な実施形態では、ＲＳ信号のＳＣＳと非ＲＳ信号のＳＣＳとが異なり、ＵＥが、重複する時間リソースにおいて非ＲＳ上で測定を行い、および信号を受信することができる場合、ＵＥは、受信ビームスイープの数の必要を指示し得る。たとえば、ＵＥが、Ｙ１時間リソースと時間的に少なくとも部分的に重複するＹ２リソースにおいてもデータチャネルを受信している場合、Ｙ１時間リソース上でキャリアのセル上で測定を行うための受信ビームスイープの数Ｎ８が指示され得る。代替的に、ＵＥが、Ｙ１時間リソースと時間的に少なくとも部分的に重複するＹ２リソースにおいてデータチャネルを受信していない場合、Ｙ１時間リソース上でキャリアのセル上で測定を行うための受信ビームスイープの数Ｎ９が指示され得、ここで、Ｎ８＞Ｎ９である（たとえば、Ｎ８＝４であるのに対してＮ９＝１である）。概して、データおよび／または制御チャネルのために使用される未使用のアンテナアレイまたは処理リソース（たとえば、ＦＦＴまたはＩＦＦＴ）に関係するさらに多くのリソースを使用することによって、受信ビームスイープのはるかに短い値（Ｎ９）が実現される。
【００４３】
別の例では、ＵＥは、ＵＥがビームスイーピングを実施することを可能にされるか否かを制御する、ネットワークノードからの有効化／無効化インジケータ（対応するネットワークノード実施形態参照）をも受信し得る。このインジケータは、（一例では）すべてのまたは（別の例では）いくつかのタイプの測定に適用することができる。さらに、受信ビームスイープを無効化することは、有効化インジケータが受信された場合のナロービーム受信とは対照的に、ＵＥにおけるワイドビームまたは全方向受信を設定することをも含み得る。
【００４４】
ＩＩＩ．  ネットワークノードにおける方法
Ａ．  ＵＥが受信機ビームフォーミングをどのように実施しているかを決定すること
【００４５】
別の実施形態によれば、ネットワークノードは、たとえば、ＵＥ指示（たとえば、ＵＥ実施形態における方法参照）、ＵＥ挙動を観測すること、または別のネットワークノードから（たとえば、別のＢＳ、コアネットワークノードまたは測位ノードから  −  以下のセクションＢも参照）受信された指示に基づいて、ＵＥが受信機ビームフォーミングをどのように実施しているかを決定する。決定したことの結果に基づいて、ネットワークノードは、さらに、適用可能なＵＥ要件を決定し（たとえば、無線デバイス要件を決定する方法を説明する以下のセクションＩＶ参照）、決定された要件に適応的に１つまたは複数のＵＥプロシージャを設定し得る。ネットワークノードは、さらに、ＵＥが受信機ビームフォーミングをどのように実施しているかを決定したことの結果に基づいて、１つまたは複数のそれ自体のプロシージャを適応させ得る。
【００４６】
決定された要件に適応的に１つまたは複数のＵＥプロシージャを設定することは、たとえば、以下を含み得る。
・  ＵＥ周波数内および／または周波数間測定を設定すること。
・  （送信されたＤＬ信号周期性よりも短いかまたはそれと同じであり得る）測定周期性、たとえば、さもなければ（ＵＥが受信ビームフォーミングをどのように実施するかに基づく）測定時間または測定時間要件がしきい値よりも長くなる場合、より短い周期性、を設定すること。
・  測定帯域幅または許容測定帯域幅、たとえば、さもなければ（ＵＥが受信ビームフォーミングをどのように実施するかに基づく）測定時間または測定時間要件がしきい値よりも長くなる場合、より大きい帯域幅、を設定すること。
・  測定すべきＳＳＢおよび／またはビームおよび／またはセルおよび／または周波数の数（たとえば、受信ビームスイープまたは受信ビームの数がしきい値を上回る場合、測定すべきＳＳＢ／ビーム／セル／周波数のより小さい数）を設定すること。
・  ＵＥがしきい値よりも多くの数の受信ビームスイープまたは受信ビームをサポートしない場合、（ＦＲ２またはミリメートル波周波数範囲の代わりに）ＦＲ１におけるセルに変更するようにＵＥを設定すること。
・  ＵＥを測定または監視するための周波数を設定すること。
・  たとえば、ＵＥにおける広範な受信ビームフォーミングを必要とし得るセルをリスト中に含む、ブラックセルリスト（測定すべきでないセル）を設定すること。
・  ＵＥにおける１つまたは複数のカウンタまたはタイマー、たとえば、測定時間がより長い場合、より長い測定有効性タイマー、を設定すること、ハンドオーバ関係タイマーを設定すること、ＲＬＭまたはＲＬＦタイマーを設定すること。
・  決定したことの結果に基づいてＵＥ測定のためのサンプルの数を設定すること。
・  満たされるべき要件をＵＥに指示すること（たとえば、要件を決定するサンプルの数を設定することあるいは要件ＩＤまたはインデックスを設定すること、ここで、要件が、１）ＵＥが受信機ビームフォーミングをどのように実施している／実施しようとしているかに関連するのか、２）ＵＥが満たすことができる適用可能な測定要件に関連するのかに応じて、異なるインデックスが異なる要件に関連し得る）。
【００４７】
また別の例では、ネットワークノードは、受信ビームスイープを無効化するようにＵＥを設定するか、あるいは（一例では）すべてのまたは（別の例では）あるタイプの測定を行うための許容されるビームスイープの最大数を伴ってＵＥを設定し得る。測定は、特定の目的のために、たとえば、測位、ＳＯＮ機能、パラメータチューニングなどのネットワークプランニング、ＭＤＴなどのためにＵＥによって実施され得る。このタイプの測定は、所定のまたは確定的な時間内にＵＥによって実施されることが予想される。ネットワークノードは、さらに、ＵＥが測定を実施し得るセルの最大数を伴ってＵＥを設定し得る。特定の例では、ＵＥは、いかなる受信機ビームスイープもなしに、または限られた数の受信機ビームスイープ（たとえば、２つのスイープ）を用いて、あるタイプのＳＯＮ測定（たとえば、ターゲットセルのセルグローバルＩＤ（ＣＧＩ））を実施するように設定され得る。この場合、ＵＥは、さらに、ＵＥが、（ビームスイープなし、または限られた数のビームスイープに関連する）指示された測定を行っている間、任意の他の測定を実施しないことを可能にされ得る。これは、ＵＥが、明確に規定された時間期間内に要求された測定を実施することを可能にする。これは、あらかじめ規定されたルールによっても実現され得る。たとえば、ＵＥが特定のタイプの測定を伴って設定された場合、その測定の測定時間中に、ＵＥは、ＵＥが受信ビームスイープを無効化するか、またはビームスイープの数がある値（たとえば、２）を超えない間、特定のセル上でその測定のみを実施するものとする。
【００４８】
受信ビームスイープを無効化することは、ＵＥにおけるワイドビームまたは全方向受信を設定することをも含み得る。
【００４９】
ネットワークノードのプロシージャのうちの１つまたは複数を適応させることは、たとえば、以下のうちの１つまたは複数を含み得る。
・  ネットワークノードにおけるＵＥ動作に関係する１つまたは複数のカウンタまたはタイマーを設定すること。
・  受信ビームフォーミングを用いてＵＥによって受信されるべきネットワークノードの送信のうちの少なくとも１つを設定すること（たとえば、１）ＵＥが受信機ビームフォーミングをどのように実施している／実施しようとしているか、または２）ＵＥが満たすことができる適用可能な測定要件に基づいて、より速い測定時間および／またはより高い精度を可能にするために、送信された信号帯域幅、密度、周期性、送信電力などを増加させる）。
・  受信ビームフォーミングを用いてＵＥによって受信されるべき少なくとも１つの送信のヌメロロジーを設定すること（たとえば、すべてのＵＥが少なくともＮ個のビームを用いたビームスイーピングをサポートする場合、サブキャリア間隔を増加させ、他の場合、サブキャリア間隔を増加させないかまたは低減しない）。
【００５０】
Ｂ．  別のネットワークノードまたは第２のＵＥへの指示
また別の実施形態によれば、ネットワークノードは、１）ＵＥが受信機ビームフォーミングをどのように実施しているかまたは実施しようとしているか、および２）ＵＥがその受信機ビームフォーミングをどのように実施しているかまたは実施しようとしているかに基づいてＵＥが満たすことが可能である適用可能な測定要件の一方または両方を、別のネットワークノード（たとえば、別のＢＳ、コアネットワークノードまたは測位ノード）または第２のＵＥに指示する。
【００５１】
ＵＥが受信機ビームフォーミングをどのように実施しているかまたは実施しようとしているか、および／あるいはＵＥが満たすことが可能である適用可能な測定要件は、別のノード（たとえば、ＵＥまたは別のネットワークノード）から受信されるか、あるいはＵＥ挙動または動作を観測することによってネットワークノードによって決定され得る。ネットワークノードは、次いで、この情報をまた別のネットワークノードまたは別のＵＥに（たとえば、このＵＥが、関係するＵＥへのその送信または関係するＵＥとの動作を最適化することを可能にするために）再送または中継し得る。
【００５２】
指示を送ることは、受信ノードから要求されると、非送信請求式に、または特定のプロシージャの一部分としてであり得る（たとえば、ハンドオーバにおいてターゲットセルはソースセルから指示を受信し得る）。送ることはまた、選択的であり、たとえば、ＵＥが受信機ビームフォーミングをどのように実施しているかまたは実施しようとしているかおよび／あるいはＵＥが満たすことが可能である適用可能な測定要件に関係するパラメータ（ＵＥ実施形態および要件を決定するための方法における例示的なパラメータ参照）がしきい値を上回るときにのみであり得る。
【００５３】
ＩＶ．  無線デバイス要件を決定する方法
別の実施形態によれば、ＵＥが受信機ビームフォーミングをどのように実施しているかに応じて無線デバイスまたはＵＥ測定要件（別の実施形態では適用可能な要件と呼ばれることもある）がどのように決定されるかについての方法が説明される。ＵＥは、決定された要件を満たすことが必要とされる。要件は、ＵＥについて静的または固有であり得るか、あるいは現在のＵＥ設定またはＵＥ選好に応じて動的であり得る。
【００５４】
決定されたＵＥ測定要件の例は、ＵＥがビームフォーミングをどのように実施しているかに関係する少なくとも１つのパラメータの関数であり得る、測定時間（上記の専門用語セクションＩ参照）を含む。パラメータは、ＵＥから受信されるか、またはＵＥから受信されたメッセージに基づいて決定され得る（さらなる詳細については、たとえば、上記のセクションＩＩ参照）。その上、パラメータは、ＵＥによってシグナリングされたまたはＵＥによって宣言されたＵＥ能力であり得る（たとえば、ある宣言された能力をもつＵＥが、この宣言可能な能力に基づく要件を使用してテストされることになる）。代替的に、パラメータは、ＵＥ能力に基づいて決定され得る。その上、パラメータは、ＵＥ挙動またはＵＥ性能を観測すること（たとえば、ＵＥがサービングセルおよび／またはネイバーセルのための測定を報告するのにどのくらいの時間がかかるかを観測すること）の結果であり得る。パラメータの例は上記のセクションＩＩにおいて提供される。
【００５５】
ＵＥがビームフォーミングをどのように実施しているかに関係する少なくとも１つのパラメータの関数の例は、以下を含む。
・  たとえば、常に、あるいはパラメータが第１の開区間または閉区間内にあるとき（たとえば、Ｎ＿ｓｗｅｅｐｓ＜ＩｔＡｌＩｃ＞＜＜／ＩｔＡｌＩｃ＞しきい値）、パラメータとともにスケーリングする関数。
・  たとえば、少なくとも、パラメータが第２の開区間または閉区間内にあるとき（たとえば、Ｎ＿ｓｗｅｅｐｓ＜ＩｔＡｌＩｃ＞＞＜／ＩｔＡｌＩｃ＞しきい値）、パラメータとともに非線形的に増加する関数。
・  受信機ビームスイーピングが使用される場合、固定デルタ時間の加算を含む関数、ここで、デルタは、ＵＥが受信する必要があり得る受信機ビームの数または方向の数（たとえば、測定されたセルの数あるいは異なるＴＰまたはＴＲＰの数）に依存し得る。
・  関数Ｆ＝ｆ＿ｂｅｓｔＢｅａｍｓＳｗｅｅｐｓＳｅａｒｃｈ＋ｆ＿ｍｅａｓ、ここで、ＵＥは、（１つまたは複数の）最良のビームまたは（１つまたは複数の）最良のビームスイープを探索し、（１つまたは複数の）最良のものを選択し、次いで、それらの上でさらなる測定、セル検出などを実施する。（たとえば、スイープの数Ｎ＿ｓｗｅｅｐｓを用いて、最高で、探索のために利用可能であり、ＵＥによってサポートされるのと同じ数の受信ビーム上で実施され得る）最良のビーム／ビームスイープ探索は、（たとえば、低減されたスイープの数Ｎ’＿ｓｗｅｅｐｓを使用して）測定のために必要とされるべき受信ビームの数を低減し得る。
【００５６】
セル検出のために適用可能な、第１の例示的な関数は、以下の通りである。
ＴＰＳＳ／ＳＳＳ＝ｍａｘ（Ｔｍｉｎ，ｆ＿ｂｅｓｔＢｅａｍｓＳｗｅｅｐｓＳｅａｒｃｈ＋ｆ＿ｍｅａｓ）
＝ｍａｘ（Ｔｍｉｎ，ｆ＿ｂｅｓｔＢｅａｍｓＳｗｅｅｐｓＳｅａｒｃｈ＋［５］×ＳＭＴＣ期間）、
ここで、検出時間に対する最小境界Ｔｍｉｎも課され、ｆ＿ｂｅｓｔＢｅａｍｓＳｗｅｅｐｓＳｅａｒｃｈは、たとえば、［１］×Ｎ＿ｓｗｅｅｐｓ×ＳＭＴＣ期間であり得る。これは、直接スケーリング手法、つまりｍａｘ（Ｔｍｉｎ，［５］×ＳＭＴＣ期間×Ｎ＿ｓｗｅｅｐｓ）の場合よりも良好（より短い時間）である。。
【００５７】
第２の例示的な関数は、以下の通りである。
ＴＰＳＳ／ＳＳＳ＝ｍａｘ（Ｔｍｉｎ，ｆ＿ｂｅｓｔＢｅａｍｓＳｗｅｅｐｓＳｅａｒｃｈ（Ｎ＿ｓｗｅｅｐｓ）＋Ｎ２ｓｓｂ×ＳＭＴＣ期間×Ｎ’＿ｓｗｅｅｐｓ）、
ここで、ｆ＿ｂｅｓｔＢｅａｍｓＳｗｅｅｐｓＳｅａｒｃｈ（Ｎ＿ｓｗｅｅｐｓ）は、Ｎ＿ｓｗｅｅｐｓの関数であり、たとえば、
ｆ＿ｂｅｓｔＢｅａｍｓＳｗｅｅｐｓＳｅａｒｃｈ（Ｎ＿ｓｗｅｅｐｓ）＝Ｎ１ｓｓｂ×Ｎ＿ｓｗｅｅｐｓ×ＳＭＴＣ期間、
ここで、Ｎｓｓｂは、ビーム／スイープ探索に費やされたＳＳＢの数であり、Ｎ２ｓｓｂは、低減されたビーム／スイープ上のさらなる測定のために費やされたＳＳｂｓの数であり、Ｎ＿ｓｗｅｅｐｓ＞Ｎ’＿ｓｗｅｅｐｓである。
【００５８】
一実施形態では、測定精度は、ＵＥがビームフォーミングをどのように実施しているかに関係する少なくとも１つのパラメータ（上記のパラメータ例参照）に依存し得る。たとえば、パラメータが第１の開区間または閉区間内にあるとき（たとえば、Ｎ＿ｓｗｅｅｐｓ＞第２のしきい値）、第１のしきい値よりも悪い精度が使用され得、パラメータが第２の開区間または閉区間内にあるとき（たとえば、Ｎ＿ｓｗｅｅｐｓ＜第２のしきい値）、第１のしきい値よりも良好な精度が使用され得る。
【００５９】
一実施形態では、（たとえば、ＲＬＭのためのチャネルまたはシステム情報読取りまたは仮想チャネルのための）ターゲットＢＬＥＲが、ＵＥがビームフォーミングをどのように実施しているかに関係する少なくとも１つのパラメータ（上記のパラメータ例参照）に依存し得る。たとえば、パラメータが第１の開区間または閉区間内にあるとき（たとえば、Ｎ＿ｓｗｅｅｐｓ＞しきい値）、より高いＢＬＥＲがターゲットにされ得、パラメータが第２の開区間または閉区間内にあるとき（たとえば、Ｎ＿ｓｗｅｅｐｓ＜しきい値）、より低いＢＬＥＲがターゲットにされ得る。
【００６０】
一実施形態では、測定あるいはサービングキャリア周波数および／または別のキャリア周波数上でチャネルを受信することのために最小数のサンプルが必要とされ得る。２つまたはそれ以上の周波数のために同じ受信機ハードウェアが共有される場合、要件は、両方の周波数に関して、等しく影響を及ぼされ（たとえば、上記で測定時間について要件がどのように説明されたかと同様にスケーリングまたは緩和され）得る。代替的に、要件は、優先度または共有ファクタに基づいて両方の周波数に関して、影響を及ぼされ（たとえば、上記のように測定時間について要件がどのように説明されたかと同様にスケーリングまたは緩和され）得る。代替的に、要件は、測定すべき残りの周波数が絶対優先度を有する場合、周波数のうちの１つまたはサブセットに関して、影響を及ぼされ（たとえば、上記のようにスケーリングまたは緩和され）得る。
【００６１】
一実施形態では、ＵＥは、ＵＥが、測定のために使用される時間リソース（たとえば、ＣＳＩ−ＲＳリソースを含んでいるシンボル、ＳＳＢを含んでいるシンボルなど）と少なくとも部分的に重複する時間リソースにわたってデータチャネルおよび／または制御チャネルをも受信している場合、第１の測定時間（Ｔ１）にわたって測定を実施することを必要とされ得る。代替的に、ＵＥは、ＵＥが、測定のために使用される時間リソース（たとえば、ＣＳＩ−ＲＳリソースを含んでいるシンボル、ＳＳＢを含んでいるシンボルなど）と少なくとも部分的に重複する時間リソースにわたってデータチャネルまたは制御チャネルを受信していない場合、第２の測定時間（Ｔ２）にわたって測定を実施することを必要とされ得る。この例では、Ｔ２＜Ｔ１である。第２のシナリオにおいて、ＵＥが、測定を実施するために受信ビームスイーピングを行うためにデータ／制御チャネル受信のために使用されるＵＥのリソース（たとえば、アンテナアレイ、ＦＦＴ／ＩＦＦＴなど）を再使用することが可能であることにより、より短い時間が達成される。Ｔ１およびＴ２の値は、異なるシナリオにおいて必要とされる受信機ビームスイープの数に依存する。また別の例では、Ｔ２の値またはＴ２とＴ１との間の関係は、さらに、ＲＳのＳＣＳと非ＲＳのＳＣＳとに依存し得る。測定がＲＳ上で行われ、非ＲＳが制御チャネルおよび／またはデータチャネルを指す。一例では、ＲＳのＳＣＳと非ＲＳのＳＣＳとが同じである場合、Ｔ２＝Ｔ２１であり、そうではなく、ＲＳのＳＣＳと非ＲＳのＳＣＳとが異なる場合、Ｔ２＝Ｔ２２であり、ここで、Ｔ２２＜Ｔ２１である。Ｔ１およびＴ２の例は、それぞれ、２００ｍｓおよび４００ｍｓである。別の例では、Ｔ１＝Ｎｂｓ＊Ｔ２であり、ここで、Ｎｂｓ＝受信ビームスイープの数である。
【００６２】
別の例では、ＵＥは、いくつかのルールに基づいて測定を実施することを必要とされる。たとえば、ＵＥは、ＵＥが、測定時間Ｔ１中に同じキャリア周波数上で、測定を実施しておらず、サービングセルから信号／チャネルを受信していない場合、Ｔ１中にネイバーセル上で測定を実施することを必要とされ得、ＵＥは、ＵＥが、測定時間Ｔ２（Ｔ２＞Ｔ１）と少なくとも部分的に重複する時間中に、同じキャリア周波数上で、測定を実施しているおよび／またはサービングセルから信号／チャネルを受信している場合、Ｔ２中にネイバーセル上で測定を実施し、これは、ＵＥは、概して、同時にサービングセルおよびネイバーセルのために同じ受信機ビームを使用することが可能でないことがあり、したがって、一度にそれらのうちの１つを実施することになるからである。サービングセルも優先させられることがあり、その場合、ネイバーセル測定を実施することは、Ｔ２の場合のように優先度が使用されない場合と比較して、時間がかかり得るＴ３＞Ｔ２。
【００６３】
また別の例では、ＵＥは、ＵＥが、ＵＥにおけるナロービーム受信を無効化する（したがって、ワイドビームまたは全方向性受信を設定する）無効化インジケータをネットワークノードから受信した場合、測定要件の第１のセットを満たすことを必要とされ得、ＵＥは、ＵＥが、無効化インジケータを受信しないかまたは有効化インジケータを受信した場合、測定要件の第２のセットを満たすことを必要とされ得る。一例では、要件の第２のセットは、有効化インジケータを受信するまたは（等価的に）無効化インジケータを受信しない場合、より長い測定期間を備え得る。
【００６４】
ＩＶ．  追加の実施形態
図２は、１つまたは複数の実施形態による、無線デバイス１０５によって実施される方法２００を示す。図２に示されているように、方法２００は、無線デバイスが受信機ビームフォーミングをどのように実施するかまたは実施することになるかの第１の指示を無線ノードに提供すること（ステップ２０５）を含む。方法２００は、無線デバイスが受信機ビームフォーミングをどのように実施するかまたは実施することになるかの第１の指示に従って、信号測定プロシージャの一部として受信機ビームフォーミングを実施すること（ステップ２１０）をさらに含む。いくつかの実施形態では、方法２００は、無線ノードから設定メッセージを受信すること（ステップ２１５）と、設定メッセージに基づいて、無線ノードによって決定された測定要件に従って信号測定プロシージャを設定することであって、測定要件は、無線デバイスが受信機ビームフォーミングをどのように実施するかまたは実施することになるかに基づいて決定される、信号測定プロシージャを設定すること（ステップ２２０）とをさらに含む。本方法は、同様に他の随意のステップを含むように適応され得る。
【００６５】
たとえば、上述のように、無線デバイスは、無線デバイスが受信機ビームフォーミングをどのように実施しているかまたは実施しようとしているかの指示を（暗黙的にかまたは明示的にかにかかわらず）提供し、および／あるいは無線デバイスがその受信機ビームフォーミングをどのように実施しているかまたは実施しようとしているかに基づいて無線デバイスが満たすことが可能である適用可能な測定要件の指示を提供し得る。したがって、方法２００の一実施形態では、ステップ２０５は、無線デバイスがその受信機ビームフォーミングをどのように実施しているかまたは実施しようとしているかに基づいて無線デバイスが満たすことが可能である適用可能な測定要件の第２の指示を提供することを含む。第２の指示は、第１の指示に加えてまたは第１の指示の代わりに提供され得る。その上、ステップ２１０は、第１の指示に従って受信機ビームフォーミングを実施することの代わりにまたは第１の指示に従って受信機ビームフォーミングを実施することに加えて、第２の指示に従って信号測定プロシージャの一部として受信機ビームフォーミングを実施することを含み得る。
【００６６】
図３は、無線デバイスと無線通信するように動作可能な基地局１１０など、無線アクセスノードによって実施される方法３００を示す。方法３００は、無線デバイスから、無線デバイスが受信機ビームフォーミングをどのように実施するかまたは実施することになるかの第１の指示を受信すること（ステップ３０５）を含む。本方法は、第１の指示に基づいて、無線デバイスが信号測定プロシージャの一部として満たすべき測定要件を決定すること（ステップ３１０）をさらに含む。本方法は、決定された測定要件に従って適応的に信号測定プロシージャを実施するように無線デバイスを設定すること（ステップ３１５）をさらに含む。いくつかの実施形態では、本方法は、決定された測定要件に従って無線アクセスノードによって実施されるプロシージャを設定すること（ステップ３２０）をさらに含む。本方法は、同様に他の随意のステップを含むように適応され得る。
【００６７】
たとえば、上述のように、無線デバイスは、無線デバイスが受信機ビームフォーミングをどのように実施しているかまたは実施しようとしているかの指示を（暗黙的にかまたは明示的にかにかかわらず）提供し、および／あるいは無線デバイスがその受信機ビームフォーミングをどのように実施しているかまたは実施しようとしているかに基づいて無線デバイスが満たすことが可能である適用可能な測定要件の指示を提供し得る。したがって、方法３００の一実施形態では、ステップ３０５は、無線デバイスがその受信機ビームフォーミングをどのように実施しているかまたは実施しようとしているかに基づいて無線デバイスが満たすことが可能である適用可能な測定要件の第２の指示を受信することを含む。第２の指示は、第１の指示に加えてまたは第１の指示の代わりに受信され得る。その上、ステップ３１０は、第１の指示に基づいて測定要件を決定することの代わりにまたは第１の指示に基づいて測定要件を決定することに加えて、無線デバイスが第２の指示に基づいて信号測定プロシージャの一部として満たすべき測定要件を決定することを含み得る。
【００６８】
上記で説明された無線デバイス１０５が、任意の機能的手段またはユニットを実装することによって図２中の方法および本明細書の任意の他の処理を実施し得ることに留意されたい。一実施形態では、たとえば、無線デバイス１６は、図２に示されているステップを実施するように設定されたそれぞれの回路または回路要素を備える。回路または回路要素は、この点について、ある機能的処理を実施することに専用の回路および／またはメモリとともに１つまたは複数のマイクロプロセッサを備え得る。読取り専用メモリ（ＲＯＭ）、ランダムアクセスメモリ、キャッシュメモリ、フラッシュメモリデバイス、光記憶デバイスなど、１つまたはいくつかのタイプのメモリを備え得るメモリを採用する実施形態では、メモリは、１つまたは複数のプロセッサによって実行されたとき、本明細書で説明される技法を行うプログラムコードを記憶する。
【００６９】
図４は、たとえば、１つまたは複数の実施形態による、無線デバイス１０５を示す。示されているように、無線デバイス１０５は、処理回路要素４０５と通信回路要素４１５とを含む。電力供給回路要素（たとえば、バッテリー）、ディスプレイ、入力キーパッドなど、追加の回路要素および構成要素が示されていないが含まれ得る。（たとえば、送信機、受信機、トランシーバ、または無線周波数回路要素の形態の）通信回路要素４１５は、たとえば、任意の通信技術を介して、１つまたは複数の他のノードにおよび／または１つまたは複数の他のノードから情報を送信および／または受信するように設定される。そのような通信は、示されているように、無線デバイス１０５の内部にあるかまたは外部にあるかのいずれかである１つまたは複数のアンテナを介して行われ得る。処理回路要素４０５は、メモリ４１０に記憶された命令を実行することによってなど、上記で説明された処理を実施するように設定され、それにより、無線デバイス１０５は、図２中の方法を実施するように設定される。処理回路要素４０５は、この点について、いくつかの機能的手段、ユニット、またはモジュールを実装し得る。
【００７０】
図５は、１つまたは複数の他の実施形態による、無線デバイス１０５を示す。示されているように、無線デバイス１０５は、たとえば、図４中の処理回路要素４０５を介しておよび／またはソフトウェアコードを介して、上記で説明された機能性を実装するための（たとえば、図２中のステップを実装するための）様々な機能的手段、ユニット、またはモジュールを実装する。これらの機能的手段、ユニット、またはモジュールは、たとえば、図２中の、それぞれ、ステップ２０５、２１０、２１５、および２２０に対応するユニット／モジュール５０５、５１０、５１５、および５２０を含む。
【００７１】
また、上記で説明された無線アクセスノードは、任意の機能的手段またはユニットを実装することによって、図３中の処理および／または本明細書の任意の処理を実施し得ることに留意されたい。無線アクセスノードは、たとえば、必要に応じて電力をブーストするように１つまたは複数の無線デバイスを制御する基地局または送信ポイントであり得る。一実施形態では、無線アクセスノードは、本明細書で説明される処理のステップ（たとえば、シグナリング）を実施するように設定されたそれぞれの回路または回路要素を備える。回路または回路要素は、この点について、ある機能的処理を実施することに専用の回路および／またはメモリとともに１つまたは複数のマイクロプロセッサを備え得る。読取り専用メモリ（ＲＯＭ）、ランダムアクセスメモリ、キャッシュメモリ、フラッシュメモリデバイス、光記憶デバイスなど、１つまたはいくつかのタイプのメモリを備え得るメモリを採用する実施形態では、メモリは、１つまたは複数のプロセッサによって実行されたとき、本明細書で説明される技法を行うプログラムコードを記憶する。
【００７２】
図６は、たとえば、１つまたは複数の実施形態による、無線アクセスノード１１０を示す。示されているように、無線アクセスノード１１０は、処理回路要素６０５と通信回路要素６１５とを含む。（たとえば、送信機、受信機、トランシーバ、または無線周波数回路要素の形態の）通信回路要素６１５は、たとえば、任意の通信技術を介して、１つまたは複数の他のノードにおよび／または１つまたは複数の他のノードから情報を送信および／または受信するように設定される。そのような通信は、示されているように、無線アクセスノード１１０の内部にあるかまたは外部にあるかのいずれかである１つまたは複数のアンテナを介して行われ得る。処理回路要素６０５は、メモリ６１０に記憶された命令を実行することによってなど、上記で説明された処理を実施するように設定され、無線アクセスノード１１０は、図３中の方法を実施するように設定される。処理回路要素６０５は、この点について、いくつかの機能的手段、ユニット、またはモジュールを実装し得る。
【００７３】
図７は、１つまたは複数の他の実施形態による、無線アクセスノード１１０を示す。示されているように、無線アクセスノード１１０は、たとえば、図６中の処理回路要素６０５を介しておよび／またはソフトウェアコードを介して、上記で説明された機能性を実装するための（たとえば、図３中のステップを実装するための）様々な機能的手段、ユニット、またはモジュールを実装する。これらの機能的手段、ユニット、またはモジュールは、たとえば、図３中の、それぞれ、ステップ３０５、３１０、３１５、および３２０に対応するユニット／モジュール７０５、７１０、７１５、および７２０を含む。
【００７４】
また、本明細書の実施形態が、対応するコンピュータプログラムをさらに含むことを、当業者は諒解されよう。コンピュータプログラムは、無線デバイス１６の少なくとも１つのプロセッサによって実行されたとき、無線デバイス１６に、上記で説明されたそれぞれの処理のいずれかを行わせる命令を備える。コンピュータプログラムは、この点について、上記で説明された手段またはユニットに対応する１つまたは複数のコードモジュールを備え得る。
【００７５】
他の実施形態では、コンピュータプログラムは、ネットワーク機器の少なくとも１つのプロセッサによって実行されたとき、ネットワーク機器に、上記で説明されたそれぞれの処理のいずれかを行わせる命令を備える。コンピュータプログラムは、この点について、上記で説明された手段またはユニットに対応する１つまたは複数のコードモジュールを備え得る。
【００７６】
実施形態は、これらのコンピュータプログラムのいずれかを含んでいるキャリアをさらに含む。このキャリアは、電子信号、光信号、無線信号、またはコンピュータ可読記憶媒体のうちの１つを備え得る。
【００７７】
この点について、本明細書の実施形態は、非一時的コンピュータ可読（記憶または記録）媒体に記憶され、無線デバイス１０５またはネットワーク機器のプロセッサによって実行されたとき、無線デバイス１０５またはネットワーク機器に、上記で説明されたように実施させる命令を備える、コンピュータプログラム製品をも含む。
【００７８】
実施形態は、コンピュータプログラム製品であって、コンピュータプログラム製品がコンピューティングデバイスによって実行されたとき、本明細書の実施形態のいずれかのステップを実施するためのプログラムコード部分を備える、コンピュータプログラム製品をさらに含む。このコンピュータプログラム製品は、コンピュータ可読記録媒体に記憶され得る。
【００７９】
本発明は、もちろん、本発明の本質的特徴から逸脱することなく本明細書に具体的に記載されるやり方以外の他のやり方で行われ得る。本実施形態は、あらゆる点で、限定的ではなく例示的であると見なされるべきであり、添付の特許請求の範囲の意味および等価範囲内に起こるすべての変更は、本明細書中に包含されるものとする。
【図１】
2021511733.tif 000004
【図２】
2021511733.tif 000005
【図３】
2021511733.tif 000006
【図４】
2021511733.tif 000007
【図５】
2021511733.tif 000008
【図６】
2021511733.tif 000009
【図７】
2021511733.tif 000010
【図８】
2021511733.tif 000011
【図９】
2021511733.tif 000012
【図１０】
2021511733.tif 000013
【図１１】
2021511733.tif 000014
【図１２】
2021511733.tif 000015
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
受信機ビームフォーミング能力をもつ無線デバイスにおける信号測定を制御するための、前記無線デバイスによって実施される方法（２００）であって、
−  前記無線デバイスが満たすことが可能である第１の測定要件であって、前記無線デバイスが受信機ビームフォーミングをどのように実施するかまたは実施することになるかに基づいて決定される、第１の測定要件の指示を、無線ノードに提供すること（２０５）と、
−  前記第１の測定要件の前記指示に従って、信号測定プロシージャの一部として受信機ビームフォーミングを実施すること（２１０）と
を含む、方法（２００）。
【請求項２】
−  前記無線ノードから設定メッセージを受信すること（２１５）と、
−  前記設定メッセージに基づいて、前記無線ノードによって決定された測定要件であって、前記無線デバイスが受信機ビームフォーミングをどのように実施するかまたは実施することになるかに基づいて決定される、測定要件に従って、前記信号測定プロシージャを設定すること（２２０）と
をさらに含む、請求項１に記載の方法（２００）。
【請求項３】
前記無線ノードが別の無線デバイスである、請求項１又は２に記載の方法（２００）。
【請求項４】
前記無線ノードが無線アクセスノードである、請求項１から３のいずれか一項に記載の方法（２００）。
【請求項５】
前記指示が明示的である、請求項１から４のいずれか一項に記載の方法（２００）。
【請求項６】
前記指示が暗黙的である、請求項１から４のいずれか一項に記載の方法（２００）。
【請求項７】
前記無線アクセスノードから有効化／無効化インジケータであって、前記無線デバイスが受信機ビームフォーミングを実施することを可能にされるかどうかを制御する、有効化／無効化インジケータを受信すること
をさらに含む、請求項１から６のいずれか一項に記載の方法（２００）。
【請求項８】
受信機ビームフォーミングを実施することが、ビームスイーピングを含む、請求項１から７のいずれか一項に記載の方法（２００）。
【請求項９】
前記指示が、測定を実施するために前記ＵＥによって必要とされる受信機ビームスイープの数を含む、請求項１から８のいずれか一項に記載の方法（２００）。
【請求項１０】
受信機ビームスイープの前記数が、測定されるべき信号の信号品質パラメータに基づく、請求項９に記載の方法（２００）。
【請求項１１】
前記指示は、前記無線デバイスが、測定を実施するために必要とされる受信機ビームスイープの数を適応させることができるかどうかの指示を含み、前記適応は、前記無線デバイスが、前記測定のために使用される参照信号（ＲＳ）以外の信号を受信および／または送信しているか否かに基づく、請求項１から１０のいずれか一項に記載の方法（２００）。
【請求項１２】
受信機ビームフォーミング能力をもつ無線デバイスにおける信号測定を制御するための、無線アクセスノードによって実施される方法（３００）であって、
−  無線デバイスから、前記無線デバイスが受信機ビームフォーミングをどのように実施するかまたは実施することになるかの第１の指示を受信すること（３０５）と、
−  前記第１の指示に基づいて、無線デバイスが信号測定プロシージャの一部として満たすべき測定要件を決定すること（３１０）と、
−  前記決定された測定要件に従って適応的に前記信号測定プロシージャを実施するように無線デバイスを設定すること（３１５）と
を含む、方法（３００）。
【請求項１３】
前記決定された測定要件に従って前記無線アクセスノードによって実施されるプロシージャを設定すること（３２０）をさらに含む、請求項１２に記載の方法（３００）。
【請求項１４】
前記無線デバイスを設定することが、あるタイプの測定を実施する間、受信ビームスイーピングを無効化するように前記無線デバイスを設定すること、またはしきい値を超えない数の受信ビームスイープを適用することを含む、請求項１２または１３に記載の方法（３００）。
【請求項１５】
無線通信ネットワークにおける動作のための無線デバイス（１０５）であって、
−  請求項１から１２のいずれか一項に記載のステップのいずれかを実施するように設定された処理回路要素（４０５）と、
−  前記無線通信ネットワークにおける１つまたは複数の無線アクセスノードへの／からの送信を送信／受信するように設定された通信回路要素（４１５）と
を備える、無線デバイス（１０５）。
【請求項１６】
受信機ビームフォーミング能力をもつ無線デバイスにおける信号測定を制御するための、前記無線デバイスによって実施される方法（２００）であって、
−  前記無線デバイスが満たすことが可能である測定要件の指示を無線ノードに提供すること（２０５）であって、前記測定要件は、前記無線デバイスが受信機ビームフォーミングをどのように実施するかまたは実施することになるかに基づく、測定要件の指示を無線ノードに提供すること（２０５）と、
−  前記測定要件の前記指示に従って前記受信機ビームフォーミングを実施すること（２１０）と
を含む、方法（２００）。
【請求項１７】
前記測定要件の前記指示が暗黙的である、請求項１６に記載の方法（２００）。
【請求項１８】
受信機ビームフォーミング能力をもつ無線デバイスにおける信号測定を制御するための、無線アクセスノードによって実施される方法（３００）であって、
−  前記無線デバイスから、前記無線デバイスが満たすことが可能である測定要件の指示を受信すること（３０５）であって、前記測定要件は、前記無線デバイスが受信機ビームフォーミングをどのように実施するかまたは実施することになるかに基づき、前記受信機ビームフォーミングが、前記測定要件の前記指示に従って実施される、測定要件の指示を受信すること（３０５）と、
−  前記指示に基づいて、前記無線デバイスが信号測定プロシージャの一部として満たすべき測定要件を決定すること（３１０）と、
−  前記決定された測定要件に従って適応的に前記信号測定プロシージャを実施するように前記無線デバイスを設定すること（３１５）と
を含む、方法（３００）。
【請求項１９】
前記測定要件の前記指示が暗黙的である、請求項１８に記載の方法（３００）。
【請求項２０】
無線通信ネットワークにおける動作のための無線アクセスノード（１１０）であって、
−  請求項１８または１９に記載のステップのいずれかを実施するように設定された処理回路要素（６０５）と、
−  前記無線通信ネットワークにおける１つまたは複数の無線デバイスへの／からの送信を送信／受信するように設定された通信回路要素（６１５）と
を備える、無線アクセスノード（１１０）。
【国際調査報告】
2021511733.tif 000016
2021511733.tif 000017
2021511733.tif 000018